(57)【特許請求の範囲】
【請求項１】
複写装置の本体を収容する筐体と、
この筐体の内部と外部を連絡するためにこの筐体に設けられた開閉可能なドアと、
このドアに取り付けられ、該ドアの開閉運動と共動する押圧板と、
軸支され、この押圧板により押圧されて揺動するレバーインターロックスイッチと、
このレバーインターロックスイッチが、前記複写装置の主電源系のオン／オフに使用するインターロックスイッチのアクチュエータボタンと、書き込み系のレーザ電源のオン／オフに使用するマイクロスイッチのアクチュエータと、を押し込む構造を有するドアスイッチユニットにおいて、
前記レバーインターロックスイッチの前記マイクロスイッチ側の面に押下片が設けられており、
前記押下片は、長方形の平板形状であり、この平板形状の一辺が前記レバーインターロックスイッチに一体成形されることで固定され、且つ固定された一辺と反対側の端部が前記マイクロスイッチと反対側へ曲げられた曲面形状であり、
前記レバーインターロックスイッチが前記マイクロスイッチのアクチュエータを押し込む際、前記レバーインターロックスイッチと前記マイクロスイッチのアクチュエータは、前記押下片を介して接触し、前記レバーインターロックスイッチによって押し込まれた前記マイクロスイッチのアクチュエータは、前記押下片と前記マイクロスイッチとによって挟み込まれることで固定されることを特徴とするドアスイッチユニット。
【発明の詳細な説明】
【０００１】
【発明の属する技術分野】
本発明は、ドアスイッチユニットに係り、特に、複写機、ＦＡＸ、プリンタ等に使用するドアスイッチユニットに関する。
【０００２】
【従来の技術】
図５は従来のディジタル複写装置のドアスイッチユニットの斜視図、図６は図５のＡ方向から見た側面図である。図７は、ドアスイッチユニットが押し下げられるところを図５のＡ方向から見た側面図である。図８は、図７のＢを拡大した図である。
これらの図に示すように、従来のディジタル複写装置のドアスイッチユニットでは、ドア１１に取り付けられた押圧板９はドア１１が閉まることによりレバーインターロックスイッチ４を押し込み、さらにこのレバーインターロックスイッチ４によってインターロックスイッチ６のアクチュエータボタン６−１およびマイクロスイッチ２のアクチュエータ２−１が押し込まれることにより、インターロックスイッチ６およびマイクロスイッチ２がオンする構造となっている。
【０００３】
なお、インターロックスイッチ６は、複写装置の主電源系のオン／オフに使用し、マイクロスイッチ２は、書き込み系のレーザ電源のオン／オフに使用している。
マイクロスイッチ２は、アクチュエータ２−１の先端の押下点１２をレバーインターロックスイッチ４の先端部４−１で押し込むことによりオンする構造となっている（図８参照）。
【０００４】
【発明が解決しようとする課題】
しかしながら、アクチュエータ２−１は、アクチュエータ回転支点部２−２から押下点１２までフリーな状態であるため、複写機外部から衝撃を与えるとアクチュエータ回転支点部２−２から押下点１２までが振動を起こし、その振動がマイクロスイッチ２内のスイッチ接点まで伝達されてスイッチの瞬断（接点開離）が発生してしまうことがあった。このスイッチの瞬断によって瞬間的にレーザ部への電源供給が遮断されることとなり、瞬断時間だけレーザの発光が止まり、コピ−されない白紙画像が発生してしまうことがあった。
また、電源が供給されないことを異常と検知し、複写機が自動停止する等の不具合が発生していた。
【０００５】
そこで、本発明の目的は、複写機外部から衝撃が与えられてもアクチュエータ２−１の振動を抑制することができ、マイクロスイッチ２内のスイッチ接点開離（瞬断）を防止することができるドアスイッチユニットを提供することである。
【０００６】
【課題を解決するための手段】
請求項１記載の発明では、複写装置の本体を収容する筐体と、この筐体の内部と外部を連絡するためにこの筐体に設けられた開閉可能なドアと、このドアに取り付けられ、該ドアの開閉運動と共動する押圧板と、軸支され、この押圧板により押圧されて揺動するレバーインターロックスイッチと、このレバーインターロックスイッチが、前記複写装置の主電源系のオン／オフに使用するインターロックスイッチのアクチュエータボタンと、書き込み系のレーザ電源のオン／オフに使用するマイクロスイッチのアクチュエータと、を押し込む構造を有するドアスイッチユニットにおいて、前記レバーインターロックスイッチの前記マイクロスイッチ側の面に押下片が設けられており、前記押下片は、長方形の平板形状であり、この平板形状の一辺が前記レバーインターロックスイッチに一体成形されることで固定され、且つ固定された一辺と反対側の端部が前記マイクロスイッチと反対側へ曲げられた曲面形状であり、前記レバーインターロックスイッチが前記マイクロスイッチのアクチュエータを押し込む際、前記レバーインターロックスイッチと前記マイクロスイッチのアクチュエータは、前記押下片を介して接触し、前記レバーインターロックスイッチによって押し込まれた前記マイクロスイッチのアクチュエータは、前記押下片と前記マイクロスイッチとによって挟み込まれることで固定されることにより、前記の目的を達成する。
【０００８】
【発明の実施の形態】
以下、本発明の好適な実施の形態について図１ないし図４を参照して詳細に説明する。
図１は第１の実施の形態のドアスイッチユニットを示した図、図２は図１のＣ方向から見た側面図である。
第１の実施の形態のドアスイッチユニットでは、図１および図２で示したように、マイクロスイッチ２に設けられたアクチュエータ２−１を押下するときに、アクチュエータ２−１の振動を抑制することができる弾性体を素材とするラバー１３がレバーインターロックスイッチ４ａに取り付けられている。この取付は、例えば、両面テープで行う。
このラバー１３の取付位置は、アクチュエータ２−１の押下時に、ラバー１３とマイクロスイッチ２の本体とによって確実にアクチュエータ２−１を挟み込む（固定する）ことができる位置である。
なお、図１ではアクチュエータ２−１がラバー１３によって押下されている状態を示しており、マイクロスイッチ２がオン状態となっている。
【０００９】
第１の実施の形態のドアスイッチユニットは、レバーインターロックスイッチ４ａにラバー１３を設け、このラバー１３によってアクチュエータ２−１を押下し、かつ押下時にラバー１３とマイクロスイッチ２本体とでアクチュエータ２−１を挟み込む（固定する）構造となっている。そのため、複写機外部から衝撃が与えられても、ラバー１３によって振動が吸収され、アクチュエータ２−１の振動を抑制でき、マイクロスイッチ２内のスイッチ接点開離（瞬断）を防止することができる。
また、第１の実施の形態のドアスイッチユニットでは、弾性体のラバー１３を使用したことにより、押圧板９がレバーインターロック４ａを押しすぎたとしても、ラバー１３が収縮し、マイクロスイッチ２が破損してしまうことを防止することができる。
【００１０】
図３は第２の実施の形態のドアスイッチユニットを示した図、図４は図３のＤ方向から見た側面図である。
第２の実施の形態のドアスイッチユニットでは、図３および図４で示したように、マイクロスイッチ２に設けられたアクチュエータ２−１を押下するときに、アクチュエータ２−１の振動を抑制することができるように弾性を持たせた片持ち形状の押下片４ｂ−１（図３に示すように、長方形の平板形状の一辺を固定し、反対辺を曲面形状としたもの）がレバーインターロックスイッチ４ｂに一体成形されている。
押下片４ｂ−１の成形位置は、アクチュエータ２−１の押下時に、押下片４ｂ−１とマイクロスイッチ２の本体とによって確実にアクチュエータ２−１を挟み込む（固定する）ことができる位置とする。
なお、図３ではアクチュエータ２−１が押下片４ｂ−１によって押下されている状態を示しており、マイクロスイッチ２がオン状態となっている。
【００１１】
第２の実施の形態のドアスイッチユニットは、レバーインターロックスイッチ４ｂに押下片４ｂ−１を設け、押下片４ｂ−１にてアクチュエータ２−１を押下し、かつ押下時に押下片４ｂ−１とマイクロスイッチ２本体とでアクチュエータ２−１を挟み込む（固定する）構造となっているので、第１の実施の形態と同様に複写機外部から衝撃が与えられてもアクチュエータ２−１の振動を抑制でき、マイクロスイッチ２内のスイッチ接点開離（瞬断）を防止することができる。
また、第２の実施の形態のドアスイッチユニットでは、レバーインターロックスイッチ４ｂと押下片４ｂ−１を一体成形としたので、部品点数を減らすことができ、コストダウンをすることができる。
【００１２】
【発明の効果】
請求項１記載の発明では、レバーインターロックスイッチのマイクロスイッチ側の面に押下片が設けられており、レバーインターロックスイッチがアクチュエータを押し込む際、レバーインターロックスイッチとアクチュエータは押下片を介して接触し、レバーインターロックスイッチによって押し込まれたアクチュエータは、押下片とマイクロスイッチとによって挟み込まれることで固定されるので、複写機外部から衝撃が与えられてもアクチュエータの振動を抑制でき、マイクロスイッチ内のスイッチ接点開離（瞬断）の防止が可能であり、また、マイクロスイッチが破損することを防止することができる。
【図面の簡単な説明】
【図１】第１の実施の形態のドアスイッチユニットを示した図である。
【図２】図１のＣ方向から見た側面図である。
【図３】第２の実施の形態のドアスイッチユニットを示した図である。
【図４】図３のＤ方向から見た側面図である。
【図５】従来のディジタル複写装置のドアスイッチユニットの斜視図である。
【図６】図５のＡ方向から見た側面図である。
【図７】ドアスイッチユニットが押し下げられるところを図５のＡ方向から見た側面図である。
【図８】図７のＢを拡大した図である。
【符号の説明】
２      マイクロスイッチ
２−１  アクチュエータ
２−２  アクチュエータ回転支点部
４、４ａ、４ｂ  レバーインターロック
４ｂ−１  押下片
４−１  先端部
５      回転軸
６      インターロックスイッチ
６−１  アクチュエータボタン
９      押圧板
１１    ドア
１２    押下点
１３    ラバー
【図１】
0004190697.tif 000002
【図２】
0004190697.tif 000003
【図３】
0004190697.tif 000004
【図４】
0004190697.tif 000005
【図５】
0004190697.tif 000006
【図６】
0004190697.tif 000007
【図７】
0004190697.tif 000008
【図８】
0004190697.tif 000009